(57)【要約】【課題】電線の接続部を容易且つ確実に絶縁することができ、しかも、空気の流通性を確保することのできる電線の接続部の絶縁構造を提供する。【解決手段】電線の接続部の絶縁構造１は、複数本の電線２…２の端部の接続部３を絶縁体４で被覆して絶縁スリーブ５に挿入する構成になっている。前記絶縁体４は、絶縁シートを巻き重ねて形成された筒状体の一端部を接着することにより袋状に形成されている。前記袋状の絶縁体４の周面には、空気流通部１５が設けられている。【選択図】　図１
2004031294.tif 000002
【特許請求の範囲】
【請求項１】
複数本の電線の端部の接続部を絶縁体で被覆して絶縁スリーブに挿入する電線の接続部の絶縁構造において、
前記絶縁体は、絶縁シートにより形成された筒状体の一端部を接着することにより袋状に形成されていると共に、周面に空気流通部を備えていることを特徴とする電線の接続部の絶縁構造。
【請求項２】
前記空気流通部は、前記接着された部分以外の部分に孔を穿設することにより形成されていることを特徴とする請求項１に記載の電線の接続部の絶縁構造。
【請求項３】
前記空気流通部は、前記接着された部分と接着された部分以外の部分に跨るように前記袋状の絶縁体の前記接着された部分側の端部を切除することにより形成されていることを特徴とする請求項１に記載の電線の接続部の絶縁構造。
【請求項４】
前記空気流通部は、前記袋状の絶縁体の内外を連通する非接着部を前記筒状体の接着側の端部に残すことにより形成されていることを特徴とする請求項１に記載の電線の接続部の絶縁構造。
【発明の詳細な説明】
【０００１】
【発明の属する技術分野】
本発明は、複数本の電線の端部の接続部を絶縁体で被覆して絶縁スリーブに挿入する電線の接続部の絶縁構造に関するものである。
【０００２】
【従来の技術】
図７に示すように、複数本の電線の端部の接続部を絶縁体で被覆して絶縁スリーブに挿入する電線の接続部の絶縁構造１０１、例えば、回転電機の複数の巻線１０２…１０２の接続部（繋ぎ部）１０３としての溶接部を絶縁体１０４で絶縁して、絶縁スリーブ１０５に挿入する場合等において、従来は、図８に示すように、前記絶縁体１０４として、所謂ノーメックステープＴを使用して、該ノーメックステープＴを前記接続部１０３に斜めに複数回巻き付けて、所定の長さの絶縁体１０４を形成した後、前記絶縁スリーブ１０５に挿入する方法、或いは、図９に示すように、袋状（キャップ状）の絶縁体１０４を使用して、該袋状（キャップ状）の絶縁体１０４に前記接続部１０３を挿入して、該接続部１０３を絶縁した後、前記絶縁スリーブ１０５に挿入する方法が採られている。
【０００３】
【発明が解決しようとする課題】
ところで、前記従来の電線の接続部の絶縁構造には、次に述べるような問題点があった。
（１）図８に示す、ノーメックステープＴを接続部１０３に複数回巻き付けて絶縁体１０４を形成する電線の接続部の絶縁構造は、ノーメックステープＴを溶接部１０３に複数回巻き付けるという作業及び端末部１０４ａの処理が面倒である。また、巻付け方が悪いと前記接続部１０３が露出してしまうことがある。
（２）図９に示す、袋状の絶縁体１０４を使用する電線の接続部の絶縁構造は、前記接続部１０３の外周部を袋状の絶縁体１０４で略完全に覆ってしまうために空気の流通性が悪く、ワニス処理を施した場合に、ワニスを迅速に乾燥させることが困難になる。
【０００４】
本発明は、前記従来の問題点を解決し、電線の接続部を容易且つ確実に絶縁することができ、しかも、空気の流通性を確保することのできる電線の接続部の絶縁構造を提供することを目的として成されたものである。
【０００５】
【課題を解決するための手段】
斯る目的を達成するための請求項１の発明は、
複数本の電線の端部の接続部を絶縁体で被覆して絶縁スリーブに挿入する電線の接続部の絶縁構造において、
前記絶縁体を、絶縁シートにより形成された筒状体の一端部を接着することにより袋状に形成すると共に、周面に空気流通部を設けることにより、
前記袋状の絶縁体内に挿入して前記接続部を絶縁することができ、且つ前記空気流通部で空気の流通性を確保してワニスの乾燥等に支障を来たさないようにした。
【０００６】
請求項２の発明は、請求項１の電線の接続部の絶縁構造において、
前記空気流通部を、前記接着された部分以外の部分に孔を開けて形成することにより、
孔を開けるという簡単な作業で所望の位置に所望の大きさの空気流通部を容易に形成することができるようにした。
【０００７】
請求項３の発明は、請求項１の電線の接続部の絶縁構造において、
前記空気流通部を、前記接着された部分と接着された部分以外の部分に跨るように前記袋状の絶縁体の前記接着された部分側の端部を切除して形成することにより、
前記袋状の絶縁体の前記接着部側の端部を切除するという孔あけ作業よりもより簡単な作業で空気流通部を容易に形成することができるようにした。
【０００８】
請求項４の発明は、請求項１の電線の接続部の絶縁構造において、
前記空気流通部を、前記袋状の絶縁体の接着側の端部に前記接着された部分に隣接して前記袋状の絶縁体の内外を連通する非接着部を残しておくことにより、
前記袋状の絶縁体の一端部を接着するのと同時に前記空気流通部を形成して、接着部を形成してから、更に空気流通部を形成するという作業を省くことができるようにした。
【０００９】
【発明の実施の形態】
以下、本発明の電線の接続部の絶縁構造を図面を参照して説明する。
【００１０】
図１に示すように、本発明の電線の接続部の絶縁構造１は、複数本の電線２…２の接続部（繋ぎ部）３としての溶接部を絶縁体４で絶縁して、絶縁スリーブ５に挿入することにより構成されている。
【００１１】
前記絶縁体４は、前記複数本の電線２…２の接続部（繋ぎ部）３としての溶接部を覆う第１の絶縁体部１１と、該第１の絶縁体部１１で覆われた前記接続部３を挿入することにより、該接続部３を二重に覆う第２の絶縁体部１２と、で構成されている。
【００１２】
図２に示すように、前記第１の絶縁体部１１は、ノーメックステープＴを前記複数本の電線２…２の長さ方向に対して略直角に向けた状態で、前記接続部３に１回巻き付けて、前記接続部３を覆うことにより形成されている。
【００１３】
前記第２の絶縁体部１２は、絶縁シート（例えば、絶縁紙に合成樹脂シートをラミネートしたもの）により、所定の長さＬ１に形成された筒状体の一端部を熱溶着或いは超音波溶着等の方法により接着して、該一端部側を密封することにより袋状に形成されている。１３は接着部、１４は非接着部である。
【００１４】
前記第２の絶縁体部１２は、前記接着部１３の一端部から所定の距離Ｌ２は離れた位置に空気流通部１５を備えている。
【００１５】
前記空気流通部１５は、前記袋状の第２の絶縁体部１２に円形状の小孔を穿設することにより形成されている。
【００１６】
前記第１の絶縁体部１１の一端部から前記接続部３までの距離Ｌ３は、前記第２の絶縁体部１２の接着部１３から空気流通部１５までの距離Ｌ２と同じか、或いはこれより大（Ｌ３≧Ｌ２）になるように設定されていて、前記空気流通部１５から前記接続部３までの絶縁距離を稼ぐようになっている。
【００１７】
そして、図３に示すように、前記複数本の電線２…２の接続部（繋ぎ部）３としての溶接部を覆った第１の絶縁体部１１を前記袋状の第２の絶縁体部１２に挿入することにより構成された絶縁体３を、絶縁スリーブ５に挿入することにより電線の接続部の絶縁構造１が構成されるのである。
【００１８】
図４は、前記空気流通部１５の第１の変形例を示す。この変形例において、前記空気流通部１５は、前記接着部１３と非接着部１４に跨るように前記袋状の第２の絶縁体部１２の前記接着部１３側の端部（角部）を切除することにより形成されている。１６は、切除された部分を示す。他の構成は基本例の場合（空気流通部１５を小孔により形成した場合）と同じであるので重複する説明を省略する。
【００１９】
図５は、前記空気流通部１５の第２の変形例を示す。この変形例において、前記空気流通部１５は、前記接着部１３に隣接して、前記第２の絶縁体部１２の内外を連通する非接着部１４を設けることにより形成されている。換言すれば、前記接着部１３を形成する側の端部に、外部に連通する非接着部１４を残して前記筒状体の一端部側を接着することにより形成されている。他の構成は基本基本例の場合（空気流通部１５を小孔により形成した場合）と同じであるので重複する説明を省略する。
【００２０】
なお、前記実施例では、絶縁体４を、前記複数本の電線２…２の接続部３としての溶接部を覆う第１の絶縁体部１１と、該第１の絶縁体部１１で覆われた前記接続部３を挿入する第２の絶縁体部１２と、で構成し、前記複数本の電線２…２の接続部３を前記第１の絶縁体部１１で覆った後に、これを袋状の第２の絶縁体部１２に挿入し、前記接続部３を第１の絶縁体部１１と第２の絶縁体部１２で二重に覆う構成にしたが、前記第１の絶縁体部１１を使用せずに、図６に示すように、前記複数本の電線２…２の接続部３としての溶接部を、直接、前記第２の絶縁体部１２に挿入する構成にしてもよい。なお、前記空気流通部１５は、いずれの場合においても、前記接続部３が外部に突出することのない大きさに形成されている。
【００２１】
【発明の効果】
本発明の電線の接続部の絶縁構造には、次に述べるような効果がある。
（１）請求項１の電線の接続部の絶縁構造は、複数本の電線の端部の接続部を絶縁体で被覆して絶縁スリーブに挿入する電線の接続部の絶縁構造において、前記絶縁体を、絶縁シートを巻き重ねて形成された筒状体の一端部を接着することにより袋状に形成すると共に、周面に空気流通部を設けることにより形成したので、前記袋状の絶縁体内に挿入して前記接続部を挿入するという簡単な作業で接続部の絶縁を行うことができると共に、前記空気流通部で空気の流通性を確保してワニスの乾燥等に支障を来たさないようにすることができる。
（２）請求項２の電線の接続部の絶縁構造は、前記空気流通部を、前記筒状体の一端部の接着部以外の非接着部に孔を開けるという簡単な作業で所望の位置に所望の大きさの空気流通部を容易に形成することができる。
（３）請求項３の電線の接続部の絶縁構造は、前記空気流通部を、前記筒状体の接着部と非接着部に跨るように前記袋状の絶縁体の前記接着部側の端部を切除するという孔あけ作業よりもより簡単な作業で空気流通部を形成することができる。
（４）請求項４の電線の接続部の絶縁構造は、前記空気流通部を、一部に非接着部を残した状態で前記筒状体の一端部側を接着して形成したので、前記筒状体の一端部の接着部を形成するのと同時に前記空気流通部を形成して、接着部を形成してから、更に空気流通部を形成するという作業を省くことが可能になる。
【図面の簡単な説明】
【図１】本発明の電線の接続部の絶縁構造を示す説明図。
【図２】本発明の電線の接続部の絶縁構造の組付工程を示す説明図。
【図３】本発明の電線の接続部の絶縁構造の組付工程を示す説明図。
【図４】空気流通部の第１の変形例を示す説明図。
【図５】空気流通部の第２の変形例を示す説明図。
【図６】接続部を第２の絶縁体部に直接、挿入した場合を示す説明図。
【図７】従来例を示す説明図。
【図８】従来例を示す説明図。
【図９】従来例を示す説明図。
【符号の説明】
１…電線の接続部の絶縁構造
２…電線
３…電線２…２の接続部（繋ぎ部）
４…絶縁体
５…絶縁スリーブ
１１…第１の絶縁体部
１２…第２の絶縁体部
１３…接着部
１４…非接着部
１５…空気流通部
【図１】
2004031294.tif 000003
【図２】
2004031294.tif 000004
【図３】
2004031294.tif 000005
【図４】
2004031294.tif 000006
【図５】
2004031294.tif 000007
【図６】
2004031294.tif 000008
【図７】
2004031294.tif 000009
【図８】
2004031294.tif 000010
【図９】
2004031294.tif 000011